(57)【要約】      （修正有）【課題】ユーザが便利なサービス利用できるようにすること。【解決手段】メッセンジャー連携サービスに関連する方法であって、メッセンジャー連携サービスと連携した第１の連携アプリケーションに保存されたデータを抽出するあるいは第１の連携アプリケーションと関連したデータを生成する段階と、メッセンジャー連携サービスにおけるユーザ間の関係に関連するソーシャルグラフまたはチャット履歴を呼び出す機能を生成する段階と、呼び出す機能の選択を受け付ける段階と、呼び出す機能の選択に基づいて、ソーシャルグラフまたはチャット履歴を表示する段階と、抽出されたデータあるいは生成されたデータを、ソーシャルグラフまたはチャット履歴に基づいて選択された端末に送信する段階と、を含み、抽出されたデータあるいは生成されたデータは、端末にインストールされているメッセンジャーに連携された第２の連携アプリケーションによって端末に表示される。【選択図】図４
2020021493.tif 000002
【特許請求の範囲】
【請求項１】
第１端末のユーザによって第１アプリケーションにより作成された第１画像情報を含む第１情報を、前記第１アプリケーションにより表示する前記第１端末と通信を行う端末によって実行されるプログラムであって、
前記第１アプリケーションとは異なる第２アプリケーションによって、前記第１端末から送信された情報と、前記端末から送信された情報とを少なくとも含むチャットルームを前記端末の表示領域に表示することと、
前記第１アプリケーションと、前記第２アプリケーションとに基づき前記第１端末から送信された、前記第１情報に関連する情報を前記端末の通信部を介して受信することと、
前記第２アプリケーションによって、前記表示領域に表示された前記チャットルームに、前記第１画像情報の少なくとも一部である第２画像情報を含む第２情報を前記第１情報に関連する情報に基づき表示することと、
前記チャットルームに表示された前記第２情報に対する前記端末のユーザの入力に基づいて、前記第１アプリケーションによって、前記第１画像情報を含む前記第１情報を前記表示領域に表示することとが前記端末によって実行される。
【請求項２】
請求項１に記載のプログラムであって、
前記表示領域に表示された前記第２情報に含まれる前記第２画像情報よりも大きい前記第１画像情報を前記第１アプリケーションによって前記表示領域に表示することが前記端末によって実行される。
【請求項３】
請求項１または請求項２に記載のプログラムであって、
前記端末のユーザは、前記第１端末の前記第２アプリケーションに登録され、
前記第１情報に関連する情報は、前記第１端末のユーザによる、前記端末のユーザの選択に基づいて前記通信部を介して受信される。
【請求項４】
請求項３に記載のプログラムであって、
前記端末のユーザは、前記第２アプリケーションのチャット履歴に基づき選択される。
【請求項５】
請求項３または請求項４に記載のプログラムであって、
前記第１情報に関連する情報は、前記第１情報と、前記第１情報とは異なる第３情報とが前記第１アプリケーションによって前記第１端末の第１表示領域に表示され、前記第１表示領域に表示された前記第３情報に対する前記第１端末のユーザによる入力に基づいて、前記第２アプリケーションに登録された複数のユーザが前記第１表示領域に表示され、前記複数のユーザのうちの前記端末のユーザが選択されたことに基づいて前記通信部を介して受信される。
【請求項６】
請求項１から請求項５のいずれか一項に記載のプログラムであって、
前記第１情報に関連する情報の受信に基づくプッシュ通知を前記表示領域に表示することが前記端末によって実行される。
【請求項７】
請求項６に記載のプログラムであって、
前記プッシュ通知は、前記第１端末のユーザの情報を含む。
【請求項８】
請求項６または請求項７に記載のプログラムであって、
前記プッシュ通知は、前記第１情報の少なくとも一部を含む。
【請求項９】
請求項１から請求項８のいずれか一項に記載のプログラムであって、
前記第２情報と、前記端末から送信されたメッセージとを前記チャットルームに前記第２アプリケーションによって表示することが前記端末によって実行される。
【請求項１０】
請求項１から請求項９のいずれか一項に記載のプログラムであって、
前記第１画像情報は、前記メッセージアプリケーションとは異なる前記第１アプリケーションによる撮影によって作成された画像情報である。
【請求項１１】
第１端末のユーザによって第１アプリケーションにより作成された第１画像情報を含む第１情報を、前記第１アプリケーションにより表示する前記第１端末と通信を行う端末の表示方法であって、
前記第１アプリケーションとは異なる第２アプリケーションによって、前記第１端末から送信された情報と、前記端末から送信された情報とを少なくとも含むチャットルームを前記端末の表示領域に表示することと、
前記第１アプリケーションと、前記第２アプリケーションとに基づき前記第１端末から送信された、前記第１情報に関連する情報を前記端末の通信部を介して受信することと、
前記第２アプリケーションによって、前記表示領域に表示された前記チャットルームに、前記第１画像情報の少なくとも一部である第２画像情報を含む第２情報を前記第１情報に関連する情報に基づき表示する制御を前記端末の制御部によって行うことと、
前記チャットルームに表示された前記第２情報に対する前記端末のユーザの入力に基づいて、前記第１アプリケーションによって、前記第１画像情報を含む前記第１情報を前記表示領域に表示することとを含む。
【請求項１２】
請求項１１に記載の表示方法であって、
前記表示領域に表示された前記第２情報に含まれる前記第２画像情報よりも大きい前記第１画像情報を前記第１アプリケーションによって前記表示領域に表示することを含む。
【請求項１３】
請求項１１または請求項１２に記載の表示方法であって、
前記端末のユーザは、前記第１端末の前記第２アプリケーションに登録され、
前記第１情報に関連する情報は、前記第１端末のユーザによる、前記端末のユーザの選択に基づいて前記通信部を介して受信される。
【請求項１４】
請求項１３に記載の表示方法であって、
前記端末のユーザは、前記第２アプリケーションのチャット履歴に基づき選択される。
【請求項１５】
請求項１３または請求項１４に記載の表示方法であって、
前記第１情報に関連する情報は、前記第１情報と、前記第１情報とは異なる第３情報とが前記第１アプリケーションによって前記第１端末の第１表示領域に表示され、前記第１表示領域に表示された前記第３情報に対する前記第１端末のユーザによる入力に基づいて、前記第２アプリケーションに登録された複数のユーザが前記第１表示領域に表示され、前記複数のユーザのうちの前記端末のユーザが選択されたことに基づいて前記通信部を介して受信される。
【請求項１６】
請求項１１から請求項１５のいずれか一項に記載の表示方法であって、
前記第１情報に関連する情報の受信に基づくプッシュ通知を前記端末の表示領域に表示することを含む。
【請求項１７】
請求項１６に記載の表示方法であって、
前記プッシュ通知は、前記第１端末のユーザの情報を含む。
【請求項１８】
請求項１６または請求項１７に記載の表示方法であって、
前記プッシュ通知は、前記第１情報の少なくとも一部を含む。
【請求項１９】
請求項１１から請求項１８のいずれか一項に記載の表示方法であって、
前記第２情報と、前記端末から送信されたメッセージとを前記チャットルームに前記第２アプリケーションによって表示することを含む。
【請求項２０】
請求項１１から請求項１９のいずれか一項に記載の表示方法であって、
前記第１画像情報は、前記メッセージアプリケーションとは異なる前記第１アプリケーションによる撮影によって作成された画像情報である。
【請求項２１】
第１端末のユーザによって第１アプリケーションにより作成された第１画像情報を含む第１情報を、前記第１アプリケーションにより表示する前記第１端末と通信を行う端末であって、
記憶媒体に記憶されたプログラムを読み出し、前記プログラムに基づいて処理を実行するコンピュータを備え、
前記コンピュータは、
前記第１アプリケーションとは異なる第２アプリケーションによって、前記第１端末から送信された情報と、前記端末から送信された情報とを少なくとも含むチャットルームを前記端末の表示領域に表示することと、
前記第１アプリケーションと、前記第２アプリケーションとに基づき前記第１端末から送信された、前記第１情報に関連する情報を前記端末の通信部を介して受信することと、
前記第２アプリケーションによって、前記表示領域に表示された前記チャットルームに、前記第１画像情報の少なくとも一部である第２画像情報を含む第２情報を前記第１情報に関連する情報に基づき表示することと、
前記チャットルームに表示された前記第２情報に対する前記端末のユーザの入力に基づいて、前記第１アプリケーションによって、前記第１画像情報を含む前記第１情報を前記表示領域に表示することとを実行する。
【請求項２２】
請求項２１に記載の端末であって、
前記コンピュータは、前記表示領域に表示された前記第２情報に含まれる前記第２画像情報よりも大きい前記第１画像情報を前記第１アプリケーションによって前記表示領域に表示することを実行する。
【請求項２３】
請求項２１または請求項２２に記載の端末であって、
前記端末のユーザは、前記第１端末の前記第２アプリケーションに登録され、
前記第１情報に関連する情報は、前記第１端末のユーザによる、前記端末のユーザの選択に基づいて前記通信部を介して受信される。
【請求項２４】
請求項２３に記載の端末であって、
前記端末のユーザは、前記第２アプリケーションのチャット履歴に基づき選択される。
【請求項２５】
請求項２３または請求項２４に記載の端末であって、
前記第１情報に関連する情報は、前記第１情報と、前記第１情報とは異なる第３情報とが前記第１アプリケーションによって前記第１端末の第１表示領域に表示され、前記第１表示領域に表示された前記第３情報に対する前記第１端末のユーザによる入力に基づいて、前記第２アプリケーションに登録された複数のユーザが前記第１表示領域に表示され、前記複数のユーザのうちの前記端末のユーザが選択されたことに基づいて前記通信部を介して受信される。
【請求項２６】
請求項２１から請求項２５のいずれか一項に記載の端末であって、
前記コンピュータは、前記第１情報に関連する情報の受信に基づくプッシュ通知を前記表示領域に表示することを実行する。
【請求項２７】
請求項２６に記載の端末であって、
前記プッシュ通知は、前記第１端末のユーザの情報を含む。
【請求項２８】
請求項２６または請求項２７に記載の端末であって、
前記プッシュ通知は、前記第１情報の少なくとも一部を含む。
【請求項２９】
請求項２１から請求項２８のいずれか一項に記載の端末であって、
前記コンピュータは、前記第２情報と、前記端末から送信されたメッセージとを前記チャットルームに前記第２アプリケーションによって表示することを実行する。
【請求項３０】
請求項２１から請求項２９のいずれか一項に記載の端末であって、
前記第１画像情報は、前記メッセージアプリケーションとは異なる前記第１アプリケーションによる撮影により作成された画像情報である。
【発明の詳細な説明】
【技術分野】
【０００１】
本発明は、メッセンジャープラットフォームの人間関係を基盤とするソーシャルグラフを活用したメッセンジャー連携サービスシステムおよびその方法に関する。
【背景技術】
【０００２】
最近では、スマート機器市場の発達に伴って既存のコンピュータ基盤のメッセンジャーがスマート機器に接続され、次第に多くのスマート機器のメッセンジャーアプリケーションが開発されている。このようなメッセンジャーアプリケーションは、友だちの間だけではなく会社などの各種集まりでも有効に使用されているが、スマート機器内に保存されているテキスト共有以外のデータや各種アプリケーションに関連するデータの共有には制限があった。
【０００３】
現在のメッセンジャーを利用した連携サービスは、スマート機器内に保存されている写真や動画、連絡先、または音声ファイル程度に限って送信が可能であり、さらに、最近ではＳＮＳ（Ｓｏｃｉａｌ  Ｎｅｔｗｏｒｋ  Ｓｅｒｖｉｃｅ）によってメッセンジャー友だちリストと連携してＳＮＳ友だちとして推薦し、メッセンジャーとＳＮＳのデータ情報が連携するサービスが提供されたりもしたが、これは限定的なデータ共有サービスであり、さらに連携しようとする友だちリストをユーザが手動で推薦しなければならないという不便さがあった。
【０００４】
したがって、本発明によってメッセンジャーのプラットフォームの人間関係、すなわち、友だち関係を活用して多様なデータの送信と共有を可能にし、ユーザがより便利なサービスを利用できるようにする。
【発明の概要】
【発明が解決しようとする課題】
【０００５】
スマート機器内の写真や動画、音声ファイルなどに限ってメッセンジャーや文字メッセージを介して送信が可能であった従来のサービスを補完し、メッセンジャー連携アプリケーション、例えば、カードアプリケーション、カメラアプリケーション、スケジュールアプリケーションなどに関連するデータを、メッセンジャーを介して送信と共有が可能となるようにすることを目的とする。
【０００６】
また、送信したり共有しようとする友だち関係やグループ関係、チャットルームを自動で呼び出せるようにし、ユーザが便利なサービスを利用できるようにすることを他の目的とする。
【課題を解決するための手段】
【０００７】
本発明の一実施形態によると、第１アプリケーションによって第１情報を表示する第１端末と通信を行う端末のコンピュータによって実行されるプログラムは、前記第１情報を表示する第１アプリケーションを介して、前記第１端末の第２アプリケーションによって送信された、前記第１情報に関する第２情報を前記端末の通信部を介して受信することと、前記第２アプリケーションによって、前記第１端末から送信された情報と、前記端末から送信された情報とを少なくとも表示するチャットルームに前記第２情報を表示することと、前記チャットルームに表示された前記第２情報に対する前記端末のユーザの入力に基づいて、前記第２情報に関連する前記第１情報を、前記第１アプリケーションによって前記端末の表示部に表示することとを含む。
【０００８】
本発明の一実施形態によると、第１アプリケーションによって第１情報を表示する第１端末と通信を行う端末の表示方法は、前記第１情報を表示する第１アプリケーションを介して、前記第１端末の第２アプリケーションによって送信された、前記第１情報に関する第２情報を前記端末の通信部を介して受信することと、前記第２アプリケーションによって、前記第１端末から送信された情報と、前記端末から送信された情報とを少なくとも表示するチャットルームに前記第２情報を表示する制御を前記端末の制御部によって行うことと、前記チャットルームに表示された前記第２情報に対する前記端末のユーザの入力に基づいて、前記第２情報に関連する前記第１情報を、前記第１アプリケーションによって前記端末の表示部に表示することとを含む。
【０００９】
本発明の一実施形態によると、第１アプリケーションによって第１情報を表示する第１端末と通信を行う端末であって、記憶媒体に記憶されたプログラムを読み出し、前記プログラムに基づいて処理を実行するコンピュータを備え、前記コンピュータは、前記第１情報を表示する第１アプリケーションを介して、前記第１端末の第２アプリケーションによって送信された、前記第１情報に関する第２情報を受信することと、前記第２アプリケーションによって、前記第１端末から送信された情報と、前記端末から送信された情報とを少なくとも表示するチャットルームに前記第２情報を表示することと、前記チャットルームに表示された前記第２情報に対する前記端末のユーザの入力に基づいて、前記第２情報に関連する前記第１情報を、前記第１アプリケーションによって前記端末の表示部に表示することとを実行する。
【発明の効果】
【００１０】
本発明によって、メッセンジャーと連携しているアプリケーションのデータをメッセンジャー友だちやグループまたはチャットルームを介して送信したり共有したりすることができるため、より便利な連携サービスを提供することができ、そのデータの種類も多様化することができる。
【００１１】
また、メッセンジャー友だちやグループをすべて推薦する必要なく、連携して既存の発明の不便さを解決することができる。
【図面の簡単な説明】
【００１２】
【図１】本発明の一実施形態において、メッセンジャーとメッセンジャー連携アプリケーションの一例を示す図である。
【図２】本発明の一実施形態において、メッセンジャー連携サービスシステムの内部構造を示すブロック図である。
【図３】本発明の一実施形態において、送信者がメッセンジャー連携サービスを実行する一例を示す図である。
【図４】本発明の一実施形態において、受信者がメッセンジャー連携サービスを実行する一例を示す図である。
【図５】本発明の一実施形態において、受信者がメッセンジャー連携サービスを実行する一例を示す図である。
【図６】本発明の一実施形態において、送信者がメッセンジャー連携サービスを実行する一例を示す図である。
【図７】本発明の一実施形態において、受信者がメッセンジャー連携サービスを実行する一例を示す図である。
【図８】本発明の一実施形態において、受信者がメッセンジャー連携サービスを実行する一例を示す図である。
【図９】本発明の一実施形態において、メッセンジャー連携サービス方法の各ステップを示すフローチャートである。
【図１０】本発明の一実施形態において、メッセンジャー連携サービス方法の各ステップを示すフローチャートである。
【発明を実施するための形態】
【００１３】
以下、本発明の実施形態について、添付の図面を参照しながら詳しく説明する。
【００１４】
本発明で提案するメッセンジャー連携サービスシステムおよびその方法は、ユーザのスマート機器に設置されたメッセンジャープラットフォームのソーシャルグラフを利用し、メッセンジャー連携アプリケーションのデータをメッセンジャー友だちやグループ関係のユーザに送信したり共有したりできるようにする。
【００１５】
図１は、本発明の一実施形態において、メッセンジャー１１０とメッセンジャー連携アプリケーション１２０の一例を示す図である。図１に示すように、メッセンジャー１１０に連携するメッセンジャー連携アプリケーション１２０の種類は、カード、カメラ、スケジュール、ゲーム、フォトアルバム、カレンダー、ＳＮＳ、および連絡先アプリケーションなどであってもよく、各アプリケーションに関連するデータあるいはアプリケーション自体に対して送信または共有要請が可能である。
【００１６】
例えば、カードアプリケーションを介してメッセンジャー友だちにカードを送信しても
よく、カメラアプリケーションを介して前記カメラアプリケーションで撮影した写真や保存されている写真を送信および共有してもよく、スケジュールアプリケーションに保存されているスケジュールを送信および共有したり、スケジュールを要請したりしてもよい。また、メッセンジャー友だちにゲームアプリケーションを推薦したり、一緒にゲームをしようと要請したりしてもよく、フォトアルバムアプリケーションに保存されているフォトアルバムを共有してもよく、カレンダーアプリケーションを介してユーザの重要な記念日や日程を送信してもよく、さらにＳＮＳ友だちとして登録したりデータを共有するためにＳＮＳアプリケーションで利用してもよく、連絡先アプリケーションに保存されている連絡先や個人情報を送信したりメッセンジャー友だちに送信要請するなど、メッセンジャー連携サービスは、メッセンジャー１１０を介してより多くのデータの送信と共有を可能にする。
【００１７】
メッセンジャー連携サービスシステム２００において、図２は、内部構成を示すブロック図である。メッセンジャープラットフォームの人間関係を基盤とするソーシャルグラフを活用したメッセンジャー連携サービスシステム２００において、メッセンジャーとメッセンジャー連携アプリケーションのユーザ認証を実行することによって行われるシステムである。このシステムは、メッセンジャーのユーザと友だちの間のソーシャルグラフを抽出する関係抽出部２１０、メッセンジャー連携アプリケーションで友だちに送信したり友だちと共有したりしようとするデータを選択する選択部２２０、選択したデータを友だちに送信したり共有要請を実行したりする実行部２３０で構成されてもよい。
【００１８】
メッセンジャー連携サービスシステム２００におけるユーザ認証は、連携アプリケーションを使用するとき、ユーザの同意を求めることによって自動でユーザ認証処理されてもよい。ここで、同意を求めることができる対象は、メッセンジャーにユーザ認証を完了した場合であってもよい。後述するメッセンジャー連携サービスシステムは、ユーザが同意処理を行った状態で提供されるサービスである。
【００１９】
図２の関係抽出部２１０は、前記メッセンジャー友だち関係とグループ関係のソーシャルグラフを抽出し、これらの関係において、チャット履歴を共に抽出する。ユーザが送信したり共有要請を実施したりする対象は、ユーザの友だちリストに限定されるのではなく、ユーザの友だちとグループ、チャットルームになってもよい。
【００２０】
選択部２２０は、メッセンジャー連携アプリケーションを選択したり、連携アプリケーションに関連するデータを選択したりしてもよい。メッセンジャー連携アプリケーションに関連するデータは、友だちに送信したり友だちと共有しようとするデータであって、メッセンジャー連携アプリケーションに保存されているデータから抽出したり、メッセンジャー連携アプリケーションに関連する新規データを作成したりしてもよい。このように選択されたデータあるいはアプリケーションを関係抽出部２１０で抽出した対象に送信したり共有要請を実施したりしてもよい。
【００２１】
実行部２３０は、メッセンジャー連携アプリケーションの実行状態でメッセンジャー連携サービスに接続することによって実行され、メッセンジャー連携アプリケーションで友だち関係とグループ関係のソーシャルグラフやチャット履歴を呼び出し、送信したり共有する友だちやグループまたはチャット履歴を選択してデータを送信したり共有要請を実行したりしてもよい。ここで、選択する対象の数あるいは対象の種類には制限をしなくてもよい。
【００２２】
また、メッセンジャー連携サービスシステムは、送信するユーザの設定に応じてプッシュ（Ｐｕｓｈ）お知らせ、通知（Ｎｏｔｉｆｉｃａｔｉｏｎ）お知らせ、またはチャットメッセージを介して実行された内容を伝達してもよい。
【００２３】
メッセンジャー連携サービス使用に対する一例を、図３〜図５の図面を参照しながら説明する。図３は、メッセンジャー連携サービスを利用してデータを送信する送信者の一例であり、図４と図５は、送信者からデータが送信された受信者の一例を示したものである。前記送信者は、図面上ではユーザと記載されている。
【００２４】
まず、送信者は、受信者がお知らせをどのような方法によって受けるのかを決定してもよい。上述したように、Ｐｕｓｈ、Ｎｏｔｉｆｉｃａｔｉｏｎやメッセンジャーのチャットルームを介したお知らせのうちから選択して受信者が受けることができるようにする。
【００２５】
図３の場合、メッセンジャースケジュールアプリケーションを利用した一例であって、ユーザは新規データを作成して送信するが、図面の新規作成データは、共有しようとするスケジュールに対して可能な日程と場所に対する賛成、反対を投票するものである。共有要請を実施するメンバーを追加するために、図に示すようにＴａｐ（指で素早く押す行為）すれば、次の画面に移るようになる。図に示されている友だちリストは、メッセンジャープラットフォームに基づいた友だち関係にある友だちリストであり、選択することができる対象は、友だち、グループ、対話タブに対してすべて選択が可能である。グループタブでは送信者が属しているグループや集まりのリストを、対話タブでは送信者と友だちまたはグループ単位で対話したチャットルームを選択してもよく、選択する対象とその数に制限をせずに実行してもよい。選択を完了すれば、自動で受信者にデータや共有要請が発送される。
【００２６】
図３〜図５の一例において、「１０月飲み会」集まりに対する日程を共有要請して投票を実施し、投票の対象は「グループ１」のグループとする。
【００２７】
送信者の発送要請がなされれば、システムは即時に受信者が確認できるように、送信者が予め選択した方法によってお知らせを実行する。図４と図５は、図３で発送したデータを受信者が受信して確認することを示すものであって、送信者が共有要請した内容は、「１０月飲み会」の日程と場所に対する投票である。送信者が事前にチャットルームを介してお知らせを選択すれば、図４に示すように、メッセンジャーのチャットルームを介してユーザが発送した内容を確認することができ、チャットで受信された内容をＴａｐして要請した投票を進めるようになる。
【００２８】
実施形態において、図３でＰｕｓｈやＮｏｔｉｆｉｃａｔｉｏｎを選択して共有要請すれば、受信者の待機画面の最上位にお知らせウィンドウが現れるようになり、図５の「詳細に」をＴａｐすれば、ユーザが送信した内容を確認することができ、要請した投票を進められるようになる。
【００２９】
メッセンジャープラットフォームの人間関係を基盤とするソーシャルグラフを活用したメッセンジャー連携サービスシステムは、メッセンジャー連携アプリケーションを実行させることによって行われるシステムとして作動してもよい。このシステムは、メッセンジャー連携アプリケーションで、友だちに送信したり友だちと共有しようとするデータを選択する選択部２２０、メッセンジャーのユーザと友だちの間のソーシャルグラフを抽出する関係抽出部２１０、選択したデータを友だちに送信したり共有要請を実行したりする実行部２３０で構成される。
【００３０】
以下で説明するメッセンジャー連携サービスシステムは、ユーザの認証を受けていない状態で他の方法によってメッセンジャー連携サービスを実行してもよい。
【００３１】
メッセンジャー連携サービスシステムは、メッセンジャープラットフォームの人間関係をメッセンジャー連携アプリケーションに接続することによって実行され、メッセンジャーを動作させれば友だち関係とグループ関係のソーシャルグラフやチャット履歴を自動で呼び出し、チャットルームを介したお知らせを選択してメッセンジャーのチャットルームで送信したり、Ｐｕｓｈお知らせやＮｏｔｉｆｉｃａｔｉｏｎお知らせを選択して共有する対象またはチャット履歴を選択し、選択したデータを送信したり共有要請を実行したりしてもよい。
【００３２】
これに関連する一例として、図６〜図８を参照してもよい。上述したように、メッセンジャー連携アプリケーションを作動させることによってメッセンジャー連携サービスの実施が可能となる。
【００３３】
図６の一例は、メッセンジャー連携サービスを利用する送信者の画面を示したものであり、カードアプリケーションを利用したメッセンジャー連携サービスを説明する。説明したように、メッセンジャー連携サービスは、メッセンジャー連携アプリケーションを実行することによって実施が可能となる。
【００３４】
カードアプリケーションを実行させて送信しようとするカードを作成した後、カードの受信者を、メッセンジャー連携サービスを利用して決定してもよいが、このとき、送信者は、メッセンジャーを動作させることにより、友だち関係とグループ関係のソーシャルグラフやチャット履歴を自動で呼び起こしてもよい。図３の実施形態のように、このとき、送信者は、友だちタブ、グループタブ、対話タブの選択が可能である。グループタブでは送信者が属しているグループや集まりのリストを、対話タブでは送信者と友だちまたはグループ単位で対話をしたチャットルームを選択してもよい。
【００３５】
また、図７と図８は、送信者がメッセンジャー連携サービスによって送信したカードを受信者が確認することを示したものである。メッセンジャー連携サービスを実施するにおいて、送信するユーザの設定に応じてＰｕｓｈお知らせ、Ｎｏｔｉｆｉｃａｔｉｏｎお知らせ、またはチャットメッセージを介して実行された内容を伝達してもよい。作成したカードを、チャットメッセージを介して受信者に伝達する場合、図７のように、メッセンジャーのチャットルームにカードお知らせが対話ウィンドウで表示され、受信者がその内容を確認できるようになる。また、Ｐｕｓｈお知らせ、Ｎｏｔｉｆｉｃａｔｉｏｎお知らせを介して受信者に伝達する場合、図８に示すように、受信者の待機画面の最上位層にお知らせウィンドウが現れ、「詳細に」をＴａｐすることにより、受信者はメッセンジャーを実行する必要なく送信者が送信したカードを確認できるようになる。
【００３６】
メッセンジャープラットフォームの人間関係を基盤とするソーシャルグラフを活用したメッセンジャー連携サービス方法において、メッセンジャーとメッセンジャー連携アプリケーションのユーザ認証を実行することによって行われる方法である。このメッセンジャー連携サービス方法は、図２で説明したメッセンジャー連携システム２００に基づいて各ステップが行われてもよい。
【００３７】
メッセンジャー連携サービスシステム２００は、メッセンジャーのユーザと友だちの間のソーシャルグラフを抽出するステップ９１０、メッセンジャー連携アプリケーションで友だちに送信したり友だちと共有したりしようとするデータを選択するステップ９２０、選択したデータを友だちに送信したり共有要請を実行したりするステップ９３０を含んで実行されてもよい。
【００３８】
メッセンジャー連携サービス方法において、メッセンジャーのユーザ認証は、連携アプリケーションを使用するとき、ユーザの同意を求めることによって自動でユーザ認証処理されてもよい。ユーザ認証処理されたユーザにおいて、メッセンジャー連携サービス方法
は以下のように実施されてもよい。
【００３９】
メッセンジャーのユーザと友だちの間のソーシャルグラフを抽出するステップ９１０で、メッセンジャー連携サービスシステム２００は、メッセンジャー友だち関係とグループ関係のソーシャルグラフを抽出し、友だち関係やグループ関係において、チャット履歴を共に抽出してもよい。このように抽出したソーシャルグラフとチャット履歴は、ステップ９２０で送信および共有要請をする対象となってもよい。
【００４０】
また、メッセンジャー連携アプリケーションで友だちに送信したり友だちと共有しようとするデータを選択するステップ９２０で、メッセンジャー連携サービスシステム２００は、メッセンジャー連携アプリケーションを選択したり、連携アプリケーションに関連するデータを選択したりしてもよい。メッセンジャー連携アプリケーションに関連するデータは、友だちに送信したり友だちと共有したりしようとするデータである。このデータは、メッセンジャー連携アプリケーションに保存されているデータから抽出したり、メッセンジャー連携アプリケーションに関連する新規データを作成したりすることを意味してもよい。ステップ９２０で選択することができるデータの例としては、カード、カメラ、スケジュール、ゲーム、フォトアルバム、カレンダー、ＳＮＳ、および連絡先アプリケーション自体であったり、羅列したメッセンジャー連携アプリケーションに関連するデータであったりしてもよい。
【００４１】
また、選択したデータを友だちに送信したり共有要請を実行したりするステップ９３０は、メッセンジャー連携アプリケーションの実行状態でメッセンジャー連携サービスに接続することによって実行され、メッセンジャー連携アプリケーションで友だち関係とグループ関係のソーシャルグラフやチャット履歴を呼び出し、送信したり共有したりする友だちやグループまたはチャット履歴を選択し、ステップ９２０で選択したデータを送信したり共有要請を実行したりしてもよい。
【００４２】
説明したメッセンジャー連携サービス方法は、送信するユーザの設定に応じてＰｕｓｈお知らせ、Ｎｏｔｉｆｉｃａｔｉｏｎお知らせ、またはチャットメッセージを介して選択したデータを伝達してもよい。
【００４３】
以下、説明するメッセンジャー連携サービス方法は、ユーザ認証を経ていないユーザに提供される方法である。このメッセンジャー連携サービス方法は、図２で説明したメッセンジャー連携システム２００に基づいて各ステップが実行されてもよい。
【００４４】
図１０のメッセンジャー連携サービス方法は、メッセンジャー連携アプリケーションを実行させることによってサービスが行われ、メッセンジャープラットフォームの人間関係を基盤とするソーシャルグラフを活用したメッセンジャー連携サービス方法において、メッセンジャー連携アプリケーションで友だちに送信したり友だちと共有したりしようとするデータを選択するステップ１０１０、メッセンジャーのユーザと友だちの間のソーシャルグラフを抽出するステップ１０２０、選択したデータを友だちに送信したり共有要請を実行したりするステップ１０３０を含んでもよい。
【００４５】
メッセンジャーのユーザと友だちの間のソーシャルグラフを抽出するステップ１０２０で、メッセンジャープラットフォームの人間関係は、メッセンジャー連携アプリケーションに接続することによって抽出されてもよい。
【００４６】
また、メッセンジャー連携サービス方法は、メッセンジャーを動作させることにより友だち関係とグループ関係のソーシャルグラフやチャット履歴を自動で呼び出してもよく、メッセンジャーを介して送信したり共有したりする対象またはチャット履歴を選択し、選択したデータを送信したり共有要請を実行したりしてもよい。メッセンジャーは、メッセンジャー連携サービスを利用するのにデータを送信したり共有要請を実施したりする対象を呼び出すために実行させる。
【００４７】
コンピュータシステムがメッセンジャープラットフォームの人間関係を基盤とするソーシャルグラフを活用したメッセンジャー連携サービス方法において、メッセンジャーとメッセンジャー連携アプリケーションのユーザ認証を実行することによって行うように制御する命令（ｉｎｓｔｒｕｃｔｉｏｎ）を含むコンピュータで読み取り可能な記録媒体であって、前記命令は、メッセンジャーのユーザと友だちの間のソーシャルグラフを抽出するステップ、メッセンジャー連携アプリケーションで友だちに送信したり友だちと共有したりしようとするデータを選択するステップ、選択したデータを友だちに送信したり共有要請を実行したりするステップを含むメッセンジャー連携サービス方法によって前記コンピュータシステムを制御するコンピュータで読み取り可能な記録媒体に記録されてもよい。
【００４８】
または、コンピュータシステムがメッセンジャープラットフォームの人間関係を基盤とするソーシャルグラフを活用したメッセンジャー連携サービス方法において、メッセンジャー連携アプリケーションを実行させることによって行われるように制御する命令（ｉｎｓｔｒｕｃｔｉｏｎ）を含むコンピュータで読み取り可能な記録媒体であって、前記命令は、メッセンジャー連携アプリケーションで友だちに送信したり友だちと共有したりしようとするデータを選択するステップ、メッセンジャーのユーザと友だちの間のソーシャルグラフを抽出するステップ、選択したデータを友だちに送信したり共有要請を実行したりするステップを含むメッセンジャー連携サービス方法によって前記コンピュータシステムを制御するコンピュータで読み取り可能な記録媒体に記録されてもよい。
【００４９】
コンピュータで読み取り可能な記録媒体は、プログラム命令、データファイル、データ構造などを単独または組み合わせて含んでもよい。前記媒体に記録されるプログラム命令は、本発明のために特別に設計されて構成されたものであったり、コンピュータソフトウェア当業者に公示されて使用可能なものであったりしてもよい。
【００５０】
上述したように、本発明は限定された実施形態と図面によって説明されたが、本発明は上述した実施形態に限定されるものではなく、本発明が属する分野において通常の知識を有する者であれば、このような記載から多様な修正および変形が可能である。
【００５１】
したがって、本発明の範囲は、説明された実施形態に限定されて決定されてはならず、添付する特許請求の範囲だけでなく、この特許請求の範囲と均等なものなどによって定められなければならない。
【符号の説明】
【００５２】
２００：メッセンジャー連携サービスシステム
２１０：関係抽出部
２２０：選択部
２３０：実行部
【図１】
2020021493.tif 000003
【図２】
2020021493.tif 000004
【図３】
2020021493.tif 000005
【図４】
2020021493.tif 000006
【図５】
2020021493.tif 000007
【図６】
2020021493.tif 000008
【図７】
2020021493.tif 000009
【図８】
2020021493.tif 000010
【図９】
2020021493.tif 000011
【図１０】
2020021493.tif 000012
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
第１端末のユーザによって第１アプリケーションにより作成された第１画像情報を含む第１情報を、前記第１アプリケーションにより表示する前記第１端末と通信を行う端末によって実行されるプログラムであって、
前記第１アプリケーションとは異なる第２アプリケーションによって、前記第１端末から送信された情報と、前記端末から送信された情報とを少なくとも含むチャットルームを前記端末の表示領域に表示することと、
前記第１アプリケーションと、前記第２アプリケーションとに基づき前記第１端末から送信された、前記第１情報に関連する情報を前記端末の通信部を介して受信することと、
前記第２アプリケーションによって、前記表示領域に表示された前記チャットルームに、前記第１画像情報の少なくとも一部である第２画像情報を含む第２情報を前記第１情報に関連する情報に基づき表示することと、
前記チャットルームに表示された前記第２情報に対する前記端末のユーザの入力に基づいて、前記第１アプリケーションによって、前記第１画像情報を含む前記第１情報を前記表示領域に表示することとが前記端末によって実行される。
【請求項２】
請求項１に記載のプログラムであって、
前記表示領域に表示された前記第２情報に含まれる前記第２画像情報よりも大きい前記第１画像情報を前記第１アプリケーションによって前記表示領域に表示することが前記端末によって実行される。
【請求項３】
請求項１または請求項２に記載のプログラムであって、
前記端末のユーザは、前記第１端末の前記第２アプリケーションに登録され、
前記第１情報に関連する情報は、前記第１端末のユーザによる、前記端末のユーザの選択に基づいて前記通信部を介して受信される。
【請求項４】
請求項３に記載のプログラムであって、
前記端末のユーザは、前記第２アプリケーションのチャット履歴に基づき選択される。
【請求項５】
請求項３または請求項４に記載のプログラムであって、
前記第１情報に関連する情報は、前記第１情報と、前記第１情報とは異なる第３情報とが前記第１アプリケーションによって前記第１端末の第１表示領域に表示され、前記第１表示領域に表示された前記第３情報に対する前記第１端末のユーザによる入力に基づいて、前記第２アプリケーションに登録された複数のユーザが前記第１表示領域に表示され、前記複数のユーザのうちの前記端末のユーザが選択されたことに基づいて前記通信部を介して受信される。
【請求項６】
請求項１から請求項５のいずれか一項に記載のプログラムであって、
前記第１情報に関連する情報の受信に基づくプッシュ通知を前記表示領域に表示することが前記端末によって実行される。
【請求項７】
請求項６に記載のプログラムであって、
前記プッシュ通知は、前記第１端末のユーザの情報を含む。
【請求項８】
請求項６または請求項７に記載のプログラムであって、
前記プッシュ通知は、前記第１情報の少なくとも一部を含む。
【請求項９】
請求項１から請求項８のいずれか一項に記載のプログラムであって、
前記第２情報と、前記端末から送信されたメッセージとを前記チャットルームに前記第２アプリケーションによって表示することが前記端末によって実行される。
【請求項１０】
請求項１から請求項９のいずれか一項に記載のプログラムであって、
前記第１画像情報は、メッセージアプリケーションとは異なる前記第１アプリケーションによる撮影によって作成された画像情報である。
【請求項１１】
第１端末のユーザによって第１アプリケーションにより作成された第１画像情報を含む第１情報を、前記第１アプリケーションにより表示する前記第１端末と通信を行う端末の表示方法であって、
前記第１アプリケーションとは異なる第２アプリケーションによって、前記第１端末から送信された情報と、前記端末から送信された情報とを少なくとも含むチャットルームを前記端末の表示領域に表示することと、
前記第１アプリケーションと、前記第２アプリケーションとに基づき前記第１端末から送信された、前記第１情報に関連する情報を前記端末の通信部を介して受信することと、
前記第２アプリケーションによって、前記表示領域に表示された前記チャットルームに、前記第１画像情報の少なくとも一部である第２画像情報を含む第２情報を前記第１情報に関連する情報に基づき表示する制御を前記端末の制御部によって行うことと、
前記チャットルームに表示された前記第２情報に対する前記端末のユーザの入力に基づいて、前記第１アプリケーションによって、前記第１画像情報を含む前記第１情報を前記表示領域に表示することとを含む。
【請求項１２】
請求項１１に記載の表示方法であって、
前記表示領域に表示された前記第２情報に含まれる前記第２画像情報よりも大きい前記第１画像情報を前記第１アプリケーションによって前記表示領域に表示することを含む。
【請求項１３】
請求項１１または請求項１２に記載の表示方法であって、
前記端末のユーザは、前記第１端末の前記第２アプリケーションに登録され、
前記第１情報に関連する情報は、前記第１端末のユーザによる、前記端末のユーザの選択に基づいて前記通信部を介して受信される。
【請求項１４】
請求項１３に記載の表示方法であって、
前記端末のユーザは、前記第２アプリケーションのチャット履歴に基づき選択される。
【請求項１５】
請求項１３または請求項１４に記載の表示方法であって、
前記第１情報に関連する情報は、前記第１情報と、前記第１情報とは異なる第３情報とが前記第１アプリケーションによって前記第１端末の第１表示領域に表示され、前記第１表示領域に表示された前記第３情報に対する前記第１端末のユーザによる入力に基づいて、前記第２アプリケーションに登録された複数のユーザが前記第１表示領域に表示され、前記複数のユーザのうちの前記端末のユーザが選択されたことに基づいて前記通信部を介して受信される。
【請求項１６】
請求項１１から請求項１５のいずれか一項に記載の表示方法であって、
前記第１情報に関連する情報の受信に基づくプッシュ通知を前記端末の表示領域に表示することを含む。
【請求項１７】
請求項１６に記載の表示方法であって、
前記プッシュ通知は、前記第１端末のユーザの情報を含む。
【請求項１８】
請求項１６または請求項１７に記載の表示方法であって、
前記プッシュ通知は、前記第１情報の少なくとも一部を含む。
【請求項１９】
請求項１１から請求項１８のいずれか一項に記載の表示方法であって、
前記第２情報と、前記端末から送信されたメッセージとを前記チャットルームに前記第２アプリケーションによって表示することを含む。
【請求項２０】
請求項１１から請求項１９のいずれか一項に記載の表示方法であって、
前記第１画像情報は、メッセージアプリケーションとは異なる前記第１アプリケーションによる撮影によって作成された画像情報である。
【請求項２１】
第１端末のユーザによって第１アプリケーションにより作成された第１画像情報を含む第１情報を、前記第１アプリケーションにより表示する前記第１端末と通信を行う端末であって、
記憶媒体に記憶されたプログラムを読み出し、前記プログラムに基づいて処理を実行するコンピュータを備え、
前記コンピュータは、
前記第１アプリケーションとは異なる第２アプリケーションによって、前記第１端末から送信された情報と、前記端末から送信された情報とを少なくとも含むチャットルームを前記端末の表示領域に表示することと、
前記第１アプリケーションと、前記第２アプリケーションとに基づき前記第１端末から送信された、前記第１情報に関連する情報を前記端末の通信部を介して受信することと、
前記第２アプリケーションによって、前記表示領域に表示された前記チャットルームに、前記第１画像情報の少なくとも一部である第２画像情報を含む第２情報を前記第１情報に関連する情報に基づき表示することと、
前記チャットルームに表示された前記第２情報に対する前記端末のユーザの入力に基づいて、前記第１アプリケーションによって、前記第１画像情報を含む前記第１情報を前記表示領域に表示することとを実行する。
【請求項２２】
請求項２１に記載の端末であって、
前記コンピュータは、前記表示領域に表示された前記第２情報に含まれる前記第２画像情報よりも大きい前記第１画像情報を前記第１アプリケーションによって前記表示領域に表示することを実行する。
【請求項２３】
請求項２１または請求項２２に記載の端末であって、
前記端末のユーザは、前記第１端末の前記第２アプリケーションに登録され、
前記第１情報に関連する情報は、前記第１端末のユーザによる、前記端末のユーザの選択に基づいて前記通信部を介して受信される。
【請求項２４】
請求項２３に記載の端末であって、
前記端末のユーザは、前記第２アプリケーションのチャット履歴に基づき選択される。
【請求項２５】
請求項２３または請求項２４に記載の端末であって、
前記第１情報に関連する情報は、前記第１情報と、前記第１情報とは異なる第３情報とが前記第１アプリケーションによって前記第１端末の第１表示領域に表示され、前記第１表示領域に表示された前記第３情報に対する前記第１端末のユーザによる入力に基づいて、前記第２アプリケーションに登録された複数のユーザが前記第１表示領域に表示され、前記複数のユーザのうちの前記端末のユーザが選択されたことに基づいて前記通信部を介して受信される。
【請求項２６】
請求項２１から請求項２５のいずれか一項に記載の端末であって、
前記コンピュータは、前記第１情報に関連する情報の受信に基づくプッシュ通知を前記表示領域に表示することを実行する。
【請求項２７】
請求項２６に記載の端末であって、
前記プッシュ通知は、前記第１端末のユーザの情報を含む。
【請求項２８】
請求項２６または請求項２７に記載の端末であって、
前記プッシュ通知は、前記第１情報の少なくとも一部を含む。
【請求項２９】
請求項２１から請求項２８のいずれか一項に記載の端末であって、
前記コンピュータは、前記第２情報と、前記端末から送信されたメッセージとを前記チャットルームに前記第２アプリケーションによって表示することを実行する。
【請求項３０】
請求項２１から請求項２９のいずれか一項に記載の端末であって、
前記第１画像情報は、メッセージアプリケーションとは異なる前記第１アプリケーションによる撮影により作成された画像情報である。